(57)【特許請求の範囲】
【請求項１】
第１と第２の基板の間に液晶が封入された液晶パネルの製造方法であって、
前記第１の基板上に、導電性の金属薄膜よりなる遮光膜を形成し、
前記遮光膜が形成された前記第１の基板上に直接、複数の色のカラーフィルターを所定のパターンをなして隣り合わせに配置し、そこで、前記遮光膜上に、隣り合う前記複数の色のカラーフィルターの対向する辺が互いに逆方向の傾斜をなしこの斜面が斜面で互いに突き当てることによりオーバーラップを形成し、
前記複数の色のカラーフィルターの上に直接、酸化シリコンまたは窒化シリコンまたは炭化シリコンまたは酸化チタンまたは酸化ジリコニウムよりなる薄膜の絶縁膜をスパッタリング法又は真空蒸着法によって形成し、
前記絶縁膜の上に直接、透明電極を形成する、
段階を有することを特徴とする液晶パネルの製造方法。
【請求項２】
前記金属膜よりなる遮光膜は、クロムまたはタンタルまたはニッケルまたはアルミまたはチタンの膜から構成される請求項１に記載の液晶パネルの製造方法。
【発明の詳細な説明】
【０００１】
【発明の属する技術分野】
本発明は、液晶パネルの基板の構造に関し、さらに具体的には導電性を有する遮光膜を設けた基板の構造に関するものである。
【０００２】
【従来の技術】
液晶表示パネルに代表される液晶パネルは基本的には複数の透明電極を形成した２枚の基板を、透明電極を形成した面を対向させ、シール材により封止し、これに液晶材料を注入して構成する。
【０００３】
以下図面に基づいて従来技術を説明する。図９は従来のカラー液晶表示パネルの構造を示す断面図である。
【０００４】
図９に示すように、第１の基板１０１上にはカラーフィルター１０４が設けられ、カラーフィルター１０４上には保護膜１０５が設けられ、保護膜１０５上には透明電極１０６が設けられている。液晶３００を介して第１の基板１０１と対向する第２の基板２０１には、透明電極２０６が設けられている。ここで透明電極１０６と透明電極２０６上には、実際には配向膜が設けられているが、図示を省略してある。
【０００５】
この図９に示す構成の場合、保護膜１０５はカラーフィルター１０４の層表面の凹凸を吸収し、透明電極１０６の表面を平坦化するために用いられる。すなわち対向する透明電極１０６と透明電極２０６の間隔に不均一な部分があると、この部分およびその近傍において、表示の明るさの不均一、液晶の配向の不均一などを生じ、表示品質を低下させる原因になる。このため基板の透明電極面を平坦に仕上げるため、保護膜１０５を設けるのである。
【０００６】
しかし比較的低分割駆動の液晶表示パネルの場合、保護膜無しでも許容可能な平坦性を得られるため、この保護膜の形成を廃止することもある。
【０００７】
透明電極１０６と透明電極２０６とは、互いにマトリクス状に配置され、その対向する部分が表示に関与する画素部分であり、その他の部分は表示に関与しない非画素部分である。非画素部分は表示全体のコントラストを低下させないためには、光透過率が零であることが望ましい。
【０００８】
しかし実際には種々の理由により光が漏れるため、表示品質を著しく下げてしまう。そこで非画素部分からの光漏れを防止する工夫が試みられている。
【０００９】
図１０は非画素部分の光漏れを防止した従来例における第１の基板１０１を示す断面図であり、隣合うカラーフィルター１０４をオーバーラップさせて、遮光効果を得ようとするものである。
【００１０】
この図１０に示す構成にはいくつかの欠点がある。１つは遮光効果を高めるためには、隣合うカラーフィルター１０４が完全にオーバーラップしている必要があり、このオーバーラップ部分が凸状になってしまう。
【００１１】
この凸状部分は距離が比較的大きいため、保護膜１０５によっても表面段差が吸収されず、透明電極１０６の平坦性が損なわれることになる。
【００１２】
またさらに、カラーフィルター１０４が完全にオーバーラップした部分においても、多少の光漏れが生じ、完全な遮光方法とはいえない。
【００１３】
またこの方法では、カラーフィルター１０４に平行な非画素部分に対してしか遮光効果が得られず、カラーフィルター１０４に直交する非画素部分は遮光することができない。
【００１４】
図１１は他の従来例における第１の基板１０１を示す断面図である。
【００１５】
図１１に示すように、第１の基板１０１の上に遮光膜１０２を設け、この遮光膜１０２の上にカラーフィルター１０４を設け、カラーフィルター１０４の上に保護膜１０５を設け、保護膜１０５の上に透明電極１０６を設ける。
【００１６】
この図１１に示す構成によれば、カラーフィルター１０４とは独立して遮光膜１０２を設けることができる。その結果、遮光膜１０２形状を井桁状に構成することにより、カラーフィルター１０４に平行な非画素部分に対しても、遮光効果が得られ、さらにカラーフィルター１０４に直交する非画素部分に対しても遮光効果を得ることができる。
【００１７】
遮光膜１０２の形成法として、絶縁材料である黒色顔料や黒色染料を分散した黒色樹脂を印刷法やフォトエッチング法で形成する方法もあるが、この黒色樹脂材料の吸光度は低く、膜厚が薄い場合は充分な遮光特性が得られない。
【００１８】
この黒色樹脂で充分な遮光特性を得るには、樹脂膜厚を充分に厚くすることが必要になる。しかしながら、このように膜厚を厚くした場合には、遮光膜の部分と有効画素となる遮光膜の無い部分とで大きな表面段差が生じ、この段差を保護膜１０５で平坦化することは困難である。
【００１９】
このように平坦性の不足した基板構造を持つ液晶表示パネルは、液晶の配向不均一をおこし、表示品質の悪いものとなることは前述の通りである。この問題を解決するため、遮光膜１０２の材料として金属薄膜が用いられる。
【００２０】
遮光膜１０２に金属材料を用いた場合の、図１１に示した従来例の製造工程を簡単に説明すると、第１の基板１０１上にスパッタリング法あるいは真空蒸着法などによって、クロムなどの不透明な金属薄膜を形成した後、フォトエッチング法で所定のパターンを形成し遮光膜１０２とする。
【００２１】
その遮光膜１０２上に、印刷法、染色法、顔料分散法などを用いてカラーフィルター１０４を設ける。さらに、そのカラーフィルター１０４上にポリイミド、アクリルなどの透明樹脂を印刷法、スピンコート法を用いて保護膜１０５を設ける。その保護膜１０５上全面にスパッタリング法、真空蒸着法などを用いて、透明電極１０６となる酸化インジュウム錫膜を形成させる。この酸化インジュウム錫膜をフォトエッチング法で所定のパターン形状に加工して、透明電極１０６とする。
【００２２】
遮光膜１０２を金属薄膜とした場合、保護膜１０５は前述のように平坦化作用に加え、遮光膜１０２と透明電極１０６との間の絶縁膜としての作用をも有することになる。
【００２３】
【発明が解決しようとする課題】
以上述べたように、遮光膜１０２に金属薄膜を使用することが充分な遮光特性を持ち、透明電極１０６の表面平坦性を確保できる遮光膜１０２を形成する現実的な方法である。また遮光膜１０２である金属薄膜は、フォトエッチング法で微細なパターン形状加工ができることも長所である。
【００２４】
しかし金属薄膜を遮光膜１０２として使用した場合、しばしば遮光膜１０２と透明電極１０６との間で電気的ショートが起こり、歩留まりを大幅に低下させてしまうという問題点が発生する。
【００２５】
これは、保護膜１０５で、遮光膜１０２と透明電極間１０６との間は電気的に絶縁されている筈であるが、実際には保護膜１０５には微細なピンホールが多数あり、このピンホールを介して遮光膜１０２と透明電極１０６との間が電気的にショートしてしまうのである。この保護膜１０５に発生するピンホールを完全に無くすことは、現在のところ非常に難しい。
【００２６】
本発明は、従来のこのような問題を解決し、その目的とするところは遮光膜と透明電極との電気的なショートを防ぎ、表示品質の高い液晶表示パネルを安定して供給することにある。
さらに本発明の目的は、透明電極１０６の表面平坦性の向上にある。
【００２７】
【課題を解決するための手段】
上記の課題を解決するために本発明は、第１と第２の基板上の間に液晶を封止した液晶パネルの前記第１の基板上に導電性の遮光膜と複数の色のカラーフィルターと、このカラーフィルターの上方である液晶側に配置された透明電極とを有し、前記複数の色のカラーフィルターが所定のパターンをなして隣り合わせに配設される構成を少なくとも有する液晶パネルに於いて、隣り合う前記カラーフィルターの対向する辺は互いに逆方向の傾斜の斜面をなし、この斜面が斜面でのみ互いに突き当たることにより、前記遮光膜と前記透明電極との間に形成される隣り合うカラーフィルター同士のオーバーラップを形成したことを特徴とする。さらに、前記遮光膜が、クロムまたはタンタルまたはニッケルまたはアルミまたはチタンの膜よりなることを特徴とする。さらに、前記遮光膜は、クロムをフォトエッチング法にて所定のパターンに形成した遮光膜であるとを特徴する。さらに導電性の前記遮光膜上には、前記遮光膜と絶縁膜とオーバーラップをなすカラーフィルターと透明電極がこの順序で積層されて多層膜構造をなしていることを特徴とする。さらに、前記遮光膜上の前記多層構造が、遮光膜とオーバーラップをなすカラーフィルターと絶縁膜と透明電極がこの順序で積層されて多層膜構造をなしていることを特徴とする。
特に上記課題を解決するために本発明は、第１と第２の基板の間に液晶が封入された液晶パネルの製造方法であって、第１の基板上に導電性の金属薄膜よりなる遮光膜を形成し、遮光膜が形成された第１の基板上に直接、複数の色のカラーフィルターを所定のパターンをなして隣り合わせに配置し、そこで、遮光膜上に、隣り合う複数の色のカラーフィルターの対向する辺が互いに逆方向の傾斜をなしこの斜面が斜面で互いに突き当てることによりオーバーラップを形成し、複数の色のカラーフィルターの上に直接、酸化シリコンまたは窒化シリコンまたは炭化シリコンまたは酸化チタンまたは酸化ジリコニウムよりなる薄膜の絶縁膜をスパッタリング法又は真空蒸着法によって形成し、絶縁膜の上に直接、透明電極を形成する段階を有することを特徴とする。
さらに、金属膜よりなる遮光膜は、クロムまたはタンタルまたはニッケルまたはアルミまたはチタンの膜から構成されることを特徴とする。
【００４１】
上記の手段を用いて構成した液晶表示パネルは、保護膜やカラーフィルターの持つ微細なピンホールに起因する遮光膜と透明電極の電気的ショートを、新たに設ける絶縁膜と保護膜、絶縁膜とカラーフィルター、絶縁膜と保護膜とカラーフィルター、あるいは保護膜とカラーフィルターの多層膜による絶縁層を構成することで防止することができる。この結果、歩留まりを低下させること無く、平坦性にすぐれ、かつ充分な遮光特性を持つ高品質な表示品質を有する液晶表示パネルを提供することができる。
【００４２】
【発明の実施の形態】
発明の実施の形態を、以下実施例を用いて説明する。
【００４３】
【実施例】
以下、本発明の実施例を図面によって説明するが、図面は構造のみを示すものであって寸法などについて示すものではない。また透明電極上の配向膜などは図示していない。
【００４４】
図１は本発明の第１の実施例における第１の基板１０１を示す断面図である。
【００４５】
図１に示すように、第１の基板１０１上の全面にまずスパッタリング法あるいは真空蒸着法を用いてクロム薄膜を形成し、そのクロム薄膜をフォトエッチング法にて所定のパターンに形成し、遮光膜１０２を設ける。
【００４６】
さらに遮光膜１０２上にスパッタリング法で、硬質で透明な絶縁体である酸化シリコンを形成し、絶縁膜１０３を形成する。さらにその後、絶縁膜１０３上に染色法を用いて直接カラーフィルター１０４を形成する。
【００４７】
その後さらに、カラーフィルター１０４上にスピンコート法を用い透明なアクリル樹脂を全面に塗布し、保護膜１０５を設ける。さらに、保護膜１０５上にスパッタリング法で酸化インジュウム錫薄膜を全面に形成した後、フォトエッチング法で所定のパターンを形成し、透明電極１０６を設ける。
【００４８】
すなわち図１に示す第１の実施例は、第１の基板１０１上に設ける導電性を有する遮光膜１０２と、遮光膜１０２上に設ける絶縁膜１０３と、絶縁膜１０３上に設けるカラーフィルター１０４と、カラーフィルター１０４上に設ける保護膜１０５と、保護膜１０５上に設ける透明電極１０６とを有する構造となる。
【００４９】
この図１に示す構造を採用する本発明によれば、遮光膜１０２として導電性はあるが遮光特性の充分な金属薄膜を使用しても、絶縁膜１０３と保護膜１０５とが多層膜として、遮光膜１０２と透明電極１０６との間に設けられている。このため、たとえ絶縁膜１０３にピンホールがあっても、保護膜１０５との多層膜構造で、遮光膜１０２と透明電極１０６との電気的ショートの発生を確実に防ぐことができる。
【００５０】
図２は本発明の第２の実施例における第１の基板１０１を示す断面図で、絶縁膜１０３をカラーフィルター１０４上に設けた構造を示す。
【００５１】
図２に示すように、第１の基板１０１上に設ける導電性を有する遮光膜１０２と、遮光膜１０２上に設けるカラーフィルター１０４と、このカラーフィルター１０４上に設ける絶縁膜１０３と、絶縁膜１０３上に設ける保護膜１０５と、保護膜１０５上に設ける透明電極１０６とを有する構造である。
【００５２】
この第２の実施例でも、図１に示した第１の実施例と同様に、遮光膜１０２と透明電極１０６の間に、絶縁膜１０３と保護膜１０５との多層膜が形成されるため、遮光膜１０２と透明電極１０６の間の電気的ショートの発生を防止することができる。
【００５３】
図３は本発明の第３の実施例を示す断面図で、絶縁膜１０３を保護膜１０５上に設けた構造を示す。
【００５４】
図３に示すように、第１の基板１０１上に設ける導電性を有する遮光膜１０２と、遮光膜１０２上に設けるカラーフィルター１０４と、このカラーフィルター１０４上に設ける保護膜１０５と、保護膜１０５上に設ける絶縁膜１０３と、絶縁膜１０３上に設ける透明電極１０６とを有する構造である。
【００５５】
この第３の実施例でも、図１に示した第１の実施例と同様に、遮光膜１０２と透明電極１０６の間に絶縁膜１０３と保護膜１０５との多層膜が形成されるている。このため、遮光膜１０２と透明電極１０６の間の電気的ショートの発生を防止することができる。
【００５６】
図４に本発明の第４の実施例における第１の基板１０１の断面図を示す。第４の実施例の構造は、図１から図３に示す保護膜１０５を廃止し、カラーフィルター１０４を絶縁層として活用した構造である。
【００５７】
図４に示すように、第１の基板１０１上に設ける導電性を有する遮光膜１０２と、遮光膜１０２上に設ける絶縁膜１０３と、絶縁膜１０３上に設けるカラーフィルター１０４、とカラーフィルター１０４上に設ける透明電極１０６とを有する構造である。
【００５８】
図４に示すように、第１の基板１０１上に設ける導電性を有する遮光膜１０２と、遮光膜１０２上に設ける絶縁膜１０３と、絶縁膜１０３上に設ける隣り合うカラーフィルターの対向する辺が互いに逆方向の傾斜の斜面をなしこの斜面が斜面で互いに突き当たりオーバラップを形成した層よりなるカラーフィルター１０４、とカラーフィルター１０４上に設ける透明電極１０６とを有する構造である。
【００５９】
保護膜１０５を設ける目的は、一義的には透明電極１０６の表面平坦性の向上にある。しかし比較的低分割駆動の場合、駆動マージンが広いために、不充分な平坦性でも使用可能な表示品質を得ることができる。このような場合には保護膜１０５を廃止することが可能である。
【００６０】
しかし先に述べたように、金属薄膜による遮光層１０２を設けた場合には、保護膜１０５は多層膜絶縁層の一部としての機能も有するのであるから、単に保護膜１０５を廃止しただけでは多層膜による絶縁構造が失われ、絶縁膜１０３にピンホールが存在すれば、やはり透明電極１０６と遮光膜１０２の間の電気的ショートが生ずる。
【００６１】
そこで図４に示すように、隣合うカラーフィルター１０４を互いにオーバーラップし、遮光膜１０２と透明電極１０６との間にカラーフィルター１０４と絶縁膜１０３とによる多層膜による絶縁構造を構成する。
【００６２】
さらに、図４に示すように、対向する辺が互いに逆方向の傾斜の斜面をなす隣合うカラーフィルター１０４を遮光膜上の前記斜面で互いにオーバーラップし、遮光膜１０２と透明電極１０６との間にカラーフィルター１０４と絶縁膜１０３とによる多層膜による絶縁構造を構成する。
【００６３】
この場合、遮光効果は遮光膜１０２によって得ているのであるから、従来例の図１０で示したような大きな凸部生じるような、カラーフィルター１０４のオーバーラップは必要ない。なおオーバーラップが小さい場合には、工程ばらつきにより部分的に隙間が生じてしまうこともあり得るが、その場合でも電気的ショート事故発生の確率は大幅に低下する。
【００６４】
図５は本発明の第５の実施例における第１の基板１０１を示す断面図であり、保護膜１０５を廃止して、かつ絶縁膜１０３をカラーフィルター１０４上に設けた構造を示す。
【００６５】
図５に示すように、第１の基板１０１上に設ける導電性を有する遮光膜１０２と、遮光膜１０２上に設けるカラーフィルター１０４と、このカラーフィルター１０４上に設ける絶縁膜１０３と、絶縁膜１０３上に設ける透明電極１０６とを有する構造である。
【００６６】
さらに、図５に示すように、第１の基板１０１上に設ける導電性を有する遮光膜１０２と、遮光膜１０２上に設ける隣り合うカラーフィルターの対向する辺が互いに逆方向の傾斜の斜面をなしこの斜面が斜面で互いに突き当たりオーバラップを形成した層よりなるカラーフィルター１０４と、このカラーフィルター１０４上に設ける絶縁膜１０３と、絶縁膜１０３上に設ける透明電極１０６とを有する構造である。
【００６７】
カラーフィルター１０４を、図４を用いて説明した第４の実施例と同じく、オーバーラップさせることにより、カラーフィルター１０４と絶縁膜１０３とからなる多層膜構造の絶縁層を得ることができる。
【００６８】
このことは、さらにカラーフィルター１０４を、図４を用いて説明した第４の実施例と同じく、対向する辺が互いに逆方向の傾斜の斜面をなす隣合うカラーフィルター１０４を遮光膜上の前記斜面で互いにオーバーラップさせることにより、カラーフィルター１０４と絶縁膜１０３とからなる多層膜構造の絶縁層を得ることができる。
【００６９】
図４を用いて説明した第４の実施例と同じように、図５に示した第５の実施例では、保護膜１０５を設ける工程を廃止でき、低価格の液晶表示パネルを提供できる。また適切なオーバーラップを行えば、結果的に透明電極１０６の平坦性を向上させることもできる。
【００７０】
図６は本発明の第６の実施例における第１の基板１０１を示す断面図であり、カラーフィルターを使用しない、白黒表示の液晶表示パネルにおける第１の基板１０１の構造である。
【００７１】
図６に示した構造についてその製造工程を簡単に述べると、第１の基板１０１上の全面にまずスパッタリング法あるいは真空蒸着法を用いてクロム薄膜を形成させる。そのクロム薄膜をフォトエッチング法にて所定のパターンに形成し、遮光膜１０２を設ける。
【００７２】
この遮光膜１０２上にスパッタリング法で、硬質な透明絶縁体である酸化シリコンを形成し絶縁膜１０３を形成し、絶縁膜１０３上にスピンコート法を用い透明なアクリル樹脂を全面に塗布し保護膜１０５を設ける。さらに、保護膜１０５上にスパッタリング法で酸化インジュウム錫薄膜を全面に形成した後に、フォトエッチング法で所定のパターンを形成し、透明電極１０６を設ける。
【００７３】
この説明のようにして、第６の実施例では基板上に設ける導電性を有する遮光膜１０２と、遮光膜１０２上に設ける絶縁膜１０３と、絶縁膜１０３上に設ける保護膜１０５と、保護膜上１０５に設ける透明電極１０６を有する構造となり、多層膜構造の絶縁層を得ることができる。
【００７４】
絶縁膜１０３と保護膜１０５とが、遮光膜１０２と透明電極１０６との間に設けられているため、遮光膜１０２と透明電極１０６との電気的ショート発生を防止することができる。
【００７５】
図７は本発明の第７の実施例における第１の基板１０１を示す断面図であり、カラーフィルターを有しない基板において、絶縁膜１０３を保護膜１０５上に設けた構造を示す。
【００７６】
図７に示すように、第１の基板１０１上に設ける導電性を有する遮光膜１０２と、遮光膜１０２上に設ける保護膜１０５と、この保護膜１０５上に設ける絶縁膜１０３と、絶縁膜１０３上に設ける透明電極１０６とを有する構造である。
【００７７】
図６を用いて説明した第６の実施例と同様に、第７の実施例においても多層膜構造の絶縁層を得ることができる。したがって、透明電極１０６と遮光膜１０２との電気的ショート発生を、保護膜１０５と絶縁膜１０３とによって抑えることができる。
【００７８】
図８は本発明の第８の実施例における第１の基板１０１を示す断面図である。この第８の実施例においては絶縁膜１０３の機能をカラーフィルター１０４のオーバーラップにより得ている。
【００７９】
カラーフィルター１０４のオーバーラップによる効果などについては図４、図５を用いて説明した第４、第５の実施例の説明で述べたとおりであり、説明を省略する。
【００８０】
本発明の趣旨は以上の実施例の説明で明かであるが、なお若干の細補足を行えば、図１に示した第１の実施例、あるいは図６に示した第６の実施例の説明中、遮光膜１０２としてクロム薄膜を用いて説明した。しかしながら、遮光膜１０２としては、これ以外にも充分な遮光特性を得られる、タンタル、ニッケル、アルミ、チタンなどの薄膜を用いてもよい。
【００８１】
また絶縁膜１０３としては、スパッタリング法を用いて酸化シリコンを形成したが、酸化シリコン以外に、窒化シリコン、炭化シリコン、酸化チタン、酸化ジリコニウムなどを、印刷法、真空蒸着法、ディップ法などを用いて形成することができる。
【００８２】
さらに保護膜１０５としては、透明なアクリル樹脂以外にも、透明なポリイミド樹脂、透明なエポキシ樹脂を使用することも可能である。また保護膜１０５の形成方法としてはスピンコート法以外にも、印刷法、ディッピング法も使用できる。
【００８３】
さらにカラーフィルター１０４については、染色法以外にも印刷法、顔料分散法を用いてカラーフィルター１０４を形成することも可能である。
【００８４】
また図１、図４、図６に示した実施例の場合、絶縁膜１０３は耐熱性のすぐれた第１の基板１０１および金属薄膜による遮光膜１０２上への設置であり、比較的高温で安定した絶縁膜１０３を設けることができる。またこのような安定した膜であるため、従来の製造工程をそのまま使用することが可能である。
【００８５】
つぎに図２と図３との比較において、絶縁膜１０３と保護膜１０５との関係について述べる。絶縁膜１０３と保護膜１０５とは、ともに絶縁層としての機能を果たすのであるが、絶縁膜１０３は専ら絶縁機能を、保護膜１０５は絶縁機能の他に前述の平坦化の目的をも有している膜と理解すれば良い。したがって両者の材質、膜厚などが異なる場合は、図２と図３は異なる実施例を示すことになる。
【００８６】
しかしながら、絶縁膜１０３を保護膜１０５と同一の材料で同一の膜厚で設けて、両者にともに絶縁機能と平坦化機能とを均等に負わせる場合には、図２と図３とは構造的には同一のものとなる。
【００８７】
同様なことが図６と図７においても言える。図６と図７においては段差を形成するカラーフィルター１０４が存在しないから、保護膜１０５に求められる平坦化の機能はそれほど必要がない。したがって絶縁膜１０３を保護膜１０５と同一の材料で同一の膜厚で設けるならば、図６と図７とは構造的には同一のものとなる。
【００８８】
しかしながらカラーフィルター１０４が無い場合には、他の機能がこれらの絶縁層に求められる。
【００８９】
すなわち遮光膜１０２が液晶表示パネルの有効表示面全面に井桁状に設けられて、そしてすべての遮光膜１０２が電気的に接続している場合、それぞれの透明電極１０６は、遮光膜１０２を介して容量的に結合する。この容量結合は、透明電極１０６が有する電気的抵抗と関係して液晶に印加する駆動電圧に歪みを生じさせ、液晶表示パネルの表示状態を悪化させる原因になる。
【００９０】
そのため透明電極１０６と遮光膜１０２との間隔を充分にとって、両者間の電気容量をできるだけ小さくする必要がある。そこで主に絶縁機能を重視する被膜を絶縁膜１０３とし、電気容量の低減化を図る被膜を保護膜１０５として、両者の材質あるいは膜厚を変えた場合においては、図６と図７は異なる構造となるのである。
以上の如く詳細に説明した本発明の実施形態の液晶パネルは、複数の透明電極を形成した２枚の基板を透明電極を形成した面を対向させシール材により封止し前記封止内に液晶材を注入した基本構成なす液晶パネルに於いて、基板上に設ける導電性を有する遮光膜と、遮光膜上に設ける絶縁膜と、絶縁膜上に設けるカラーフィルターと、カラーフィルター上に設ける保護膜と、保護膜上に設ける透明電極とを有する液晶パネルである。
また、複数の透明電極を形成した２枚の基板を透明電極を形成した面を対向させシール材により封止し前記封止内に液晶材を注入した基本構成なす液晶パネルに於いて、基板上に設ける導電性を有する遮光膜と、遮光膜上に設けるカラーフィルターと、カラーフィルター上に設ける絶縁膜と、絶縁膜上に設ける保護膜と、保護膜上に設ける透明電極とを有する液晶パネルである。
また、複数の透明電極を形成した２枚の基板を透明電極を形成した面を対向させシール材により封止し前記封止内に液晶材を注入した基本構成なす液晶パネルに於いて、基板上に設ける導電性を有する遮光膜と、遮光膜上に設けるカラーフィルターと、カラーフィルター上に設ける保護膜と、保護膜上に設ける絶縁膜と、絶縁膜上に設ける透明電極とを有する液晶パネルである。
また、複数の透明電極を形成した２枚の基板を透明電極を形成した面を対向させシール材により封止し前記封止内に液晶材を注入した基本構成なす液晶パネルに於いて、基板上に設ける導電性を有する遮光膜と、遮光膜上に設ける絶縁膜と、絶縁膜上に設けるカラーフィルターと、カラーフィルター上に設ける透明電極とを有する液晶パネルである。
また、複数の透明電極を形成した２枚の基板を透明電極を形成した面を対向させシール材により封止し前記封止内に液晶材を注入した基本構成なす液晶パネルに於いて、基板上に設ける導電性を有する遮光膜と、遮光膜上に設けるカラーフィルターと、カラーフィルター上に設ける絶縁膜と、絶縁膜上に設ける透明電極とを有する液晶パネルである。
また、複数の透明電極を形成した２枚の基板を透明電極を形成した面を対向させシール材により封止し前記封止内に液晶材を注入した基本構成なす液晶パネルに於いて、基板上に設ける導電性を有する遮光膜と、遮光膜上に設ける絶縁膜と、絶縁膜上に設ける保護膜と、保護膜上に設ける透明電極とを有する液晶パネルである。
また、複数の透明電極を形成した２枚の基板を透明電極を形成した面を対向させシール材により封止し前記封止内に液晶材を注入した基本構成なす液晶パネルに於いて、基板上に設ける導電性を有する遮光膜と、遮光膜上に設ける保護膜と、保護膜上に設ける絶縁膜と、絶縁膜上に設ける透明電極とを有する液晶パネルである。
また、複数の透明電極を形成した２枚の基板を透明電極を形成した面を対向させシール材により封止し前記封止内に液晶材を注入した基本構成なす液晶パネルに於いて、基板上に設ける導電性を有する遮光膜と、遮光膜上に設けるカラーフィルターと、カラーフィルター上に設ける保護膜と、保護膜上に設ける透明電極とを有する液晶パネルである。
また、前記絶縁膜は、酸化シリコン、窒化シリコン、炭化シリコン、酸化チタン、酸化ジリコニウムから選ばれる一つあるいは複数の材料よりなる。
また、複数の透明電極を形成した２枚の基板を透明電極を形成した面を対向させシール材により封止し前記封止内に液晶材を注入した基本構成なす液晶パネルに於いて、基板上に設ける導電性を有する膜と前記膜の上方に透明電極とを配設し前記膜と前記透明電極の間に少なくとも絶縁膜を有する液晶パネルである。
また、複数の透明電極を形成した２枚の基板を透明電極を形成した面を対向させシール材により封止し前記封止内に液晶材を注入した基本構成なす液晶パネルに於いて、基板上に設ける導電性を有する膜と前記膜の上方に透明電極とを配設し前記膜と前記透明電極の間に少なくともカラーフィルタと絶縁膜を有する液晶パネルである。
また、複数の透明電極を形成した２枚の基板を透明電極を形成した面を対向させシール材により封止し前記封止内に液晶材を注入した基本構成なす液晶パネルに於いて、基板上に設ける導電性を有する膜と前記膜の上方に透明電極とを配設し前記膜と前記透明電極の間に保護膜とカラーフィルタと絶縁膜を有する液晶パネルである。さらに、このカラーフィルタが複数の色をなし前記カラフィルターのある色と隣接する色との間がオーバラップした構成をなし前記オーバラップした下方に前記膜が配設されている液晶パネルである。
また、第１と第２の基板の間に液晶を封止した液晶パネルに於いて、前記第１の基板上に設ける導電性を有する遮光膜とこの遮光膜上に設ける絶縁膜とこの絶縁膜上に設けるカラーフィルターとこのカラーフィルター上に設ける透明電極を有し、隣り合う前記カラーフィルターを互いにオーバラップし前記遮光膜と前記透明電極との間に前記カラーフィルターと前記絶縁膜とによる多層膜による絶縁構造を構成した液晶パネルである。また、このカラーフィルターの前記オーバラップが小さい液晶パネルである。
また、第１と第２の基板の間に液晶を封止した液晶パネルに於いて、前記第１の基板上に設ける導電性を有する遮光膜とこの遮光膜上に設けるカラーフィルターとこのカラーフィルター上に設ける絶縁膜とこの絶縁膜上に設ける透明電極を有し、隣り合う前記カラーフィルターを互いにオーバラップし前記遮光膜と前記透明電極との間に前記カラーフィルターと前記絶縁膜とによる多層膜による絶縁構造を構成した液晶パネルである。またこのカラーフィルターの前記オーバラップが小さい液晶パネルである。
【００９１】
【発明の効果】
以上の説明で明かなように、本発明は導電性を有する遮光膜を有する液晶パネルにおいて、遮光膜と透明電極との間に新たに絶縁膜を設け、または隣合うカラーフィルターをオーバーラップすることで、遮光膜と透明電極との間に、保護膜と絶縁膜、もしくはカラーフィルターと絶縁膜、またはカラーフィルター保護膜とからなる多層膜を形成する。これによりいずれかの層にピンホールがあっても、この膜構造で遮光膜と透明電極の電気的ショートの発生を確実に防止することができる。
【００９２】
このため遮光特性の不充分な絶縁体を用いた遮光膜を使用する必要がなく、遮光特性に優れ、しかも平坦性に優れた表示品質の高い液晶パネルを歩留まりを低下させること無く生産することができる。
【００９３】
しかも本発明の液晶表示パネルは、既存の保護膜、あるいはカラーフィルターを利用して多層膜構造を形成しているため、最小限の工程の追加で可能であるから大幅な価格上昇もない。
【００９４】
また、金属薄膜による遮光層を設けた場合には、保護膜は多層膜絶縁層の一部としての機能も有するのであるから、単に保護膜を廃止しただけでは多層膜による絶縁構造が失われ、絶縁膜にピンホールが存在すれば、やはり透明電極と遮光膜の間の電気的ショートが生ずる。そこで、隣合うカラーフィルターを互いにオーバーラップし、遮光膜と透明電極との間にカラーフィルターと絶縁膜とによる多層膜による絶縁構造を構成することで、ピンホールによる絶縁不良を防げる。カラーフィルターを用いて説明した実施例の如く、カラーフィルターをオーバーラップさせることにより、カラーフィルターと絶縁膜とからなる多層膜構造の絶縁層を得ることができる効果を有する。
実施例に示したように、保護膜を設ける工程を廃止でき、低価格の液晶表示パネルを提供できる効果を有する。また適切なオーバーラップを行うことで、結果的に透明電極の平坦性を向上させる効果が得られる。
【図面の簡単な説明】
【図１】本発明の第１の実施例における遮光膜を有する基板を示す断面図である。
【図２】本発明の第２の実施例における遮光膜を有する基板を示す断面図である。
【図３】本発明の第３の実施例における遮光膜を有する基板を示す断面図である。
【図４】本発明の第４の実施例における遮光膜を有する基板を示す断面図である。
【図５】本発明の第５の実施例における遮光膜を有する基板を示す断面図である。
【図６】本発明の第６の実施例における遮光膜を有する基板を示す断面図である。
【図７】本発明の第７の実施例における遮光膜を有する基板を示す断面図である。
【図８】本発明の第８の実施例におけるの遮光膜を有する基板を示す断面図である。
【図９】従来の液晶表示パネルの構造を示す断面図である。
【図１０】従来の液晶表示パネルの遮光膜を有する基板を示す断面図である。
【図１１】従来の液晶表示パネルの遮光膜を有する基板を示す断面図である。
【符号の説明】
１０１  基板
１０２  遮光膜
１０３  絶縁膜
１０４  カラーフィルター
１０５  保護膜
１０６    透明電極
【図１】
0003589661.tif 000002
【図２】
0003589661.tif 000003
【図３】
0003589661.tif 000004
【図４】
0003589661.tif 000005
【図５】
0003589661.tif 000006
【図６】
0003589661.tif 000007
【図７】
0003589661.tif 000008
【図８】
0003589661.tif 000009
【図９】
0003589661.tif 000010
【図１０】
0003589661.tif 000011
【図１１】
0003589661.tif 000012